(57)【要約】【課題】光磁気記録媒体における記録用レーザビームのビームスポット内での定量的な温度分布を作成する温度分布作成装置及び温度分布作成方法を提供する。【解決手段】光磁気記録媒体Ｍにおける記録用レーザビームＢのビームスポット内での温度分布を作成する温度分布作成装置１において、記録用レーザビームＢ照射中の光磁気記録媒体Ｍにおけるビームスポット内を偏光顕微鏡３により観察して撮影された画像データから、ビームスポット内での光磁気記録媒体Ｍのキュリー点範囲を取得するキュリー点範囲取得プログラム７３４を実行したＣＰＵ７１と、当該取得されたキュリー点範囲のビームスポット中心からの距離とビームスポット内でのモデル温度分布とから、実温度に対応したビームスポット内での温度分布を取得する温度分布取得プログラム７３７を実行したＣＰＵ７１と、を備えるよう構成した。【選択図】図１
2008181587.tif 000002
【特許請求の範囲】
【請求項１】
光磁気記録媒体における記録用レーザビームのビームスポット内での温度分布を作成する温度分布作成装置において、
前記記録用レーザビーム照射中の光磁気記録媒体の表面におけるビームスポット内を偏光顕微鏡により観察して画像データを撮影する撮影手段と、
前記撮影手段により撮影された画像データから階調度データを算出する階調度データ算出手段と、
前記階調度データ算出手段により算出された階調度データに基づいて、前記ビームスポット内での前記光磁気記録媒体のキュリー点範囲を取得するキュリー点範囲取得手段と、
前記ビームスポットの形状と前記ビームスポットの大きさと前記記録用レーザビームの出力とを含む所定の条件に基づいて、ビームスポット中心からの距離とモデル温度との関係を所定の確率分布を用いてシミュレーションして、前記ビームスポット内でのモデル温度分布を取得するモデル温度分布取得手段と、
前記モデル温度分布取得手段により取得されたモデル温度分布における、前記キュリー点範囲取得手段により取得されたキュリー点範囲のビームスポット中心からの距離に対応するモデル温度を、前記光磁気記録媒体のキュリー点と定義する定義手段と、
前記定義手段によりキュリー点であると定義されたモデル温度を、予め測定された前記光磁気記録媒体のキュリー点の実温度で置換して、前記モデル温度分布取得手段により取得された前記ビームスポット内でのモデル温度分布から、実温度に対応した前記ビームスポット内での温度分布を取得する温度分布取得手段と、
前記温度分布取得手段により取得された、実温度に対応した前記ビームスポット内での温度分布を出力する温度分布出力手段と、
を備えることを特徴とする温度分布作成装置。
【請求項２】
光磁気記録媒体における記録用レーザビームのビームスポット内での温度分布を作成する温度分布作成方法において、
前記記録用レーザビーム照射中の光磁気記録媒体の表面におけるビームスポット内を偏光顕微鏡により観察して画像データを撮影する撮影ステップと、
前記撮影ステップにて撮影された画像データから階調度データを算出する階調度データ算出ステップと、
前記階調度データ算出ステップにて算出された階調度データに基づいて、前記ビームスポット内での前記光磁気記録媒体のキュリー点範囲を取得するキュリー点範囲取得ステップと、
前記ビームスポットの形状と前記ビームスポットの大きさと前記記録用レーザビームの出力とを含む所定の条件に基づいて、ビームスポット中心からの距離とモデル温度との関係を所定の確率分布を用いてシミュレーションして、前記ビームスポット内でのモデル温度分布を取得するモデル温度分布取得ステップと、
前記モデル温度分布取得ステップにて取得されたモデル温度分布における、前記キュリー点範囲取得ステップにて取得されたキュリー点範囲のビームスポット中心からの距離に対応するモデル温度を、前記光磁気記録媒体のキュリー点と定義する定義ステップと、
前記定義ステップにてキュリー点であると定義されたモデル温度を、予め測定された前記光磁気記録媒体のキュリー点の実温度で置換して、前記モデル温度分布取得ステップにて取得された前記ビームスポット内でのモデル温度分布から、実温度に対応した前記ビームスポット内での温度分布を取得する温度分布取得ステップと、
前記温度分布取得ステップにて取得された、実温度に対応した前記ビームスポット内での温度分布を出力する温度分布出力ステップと、
を備えることを特徴とする温度分布作成方法。
【発明の詳細な説明】
【技術分野】
【０００１】
本発明は、光磁気記録媒体における温度分布作成装置及び温度分布作成方法に関する。
【背景技術】
【０００２】
従来、光磁気ディスク（光磁気記録媒体）や、ＣＤ（Compact Disc）やＤＶＤ（Digital Versatile Disk）などの光ディスクに対して、データの記録や再生を行う光ピックアップが知られている。
そして、この光ピックアップの不良を判定するための光ピックアップ不良判定方法や光ピックアップ検査装置なども提案されている（例えば、特許文献１〜３参照）。
【０００３】
ところで、光磁気記録媒体は、熱（記録用レーザビーム）と外部磁界とによってデータ（磁区）を記録するため、光磁気記録媒体における記録用レーザビームのビームスポット内での温度分布は、微小磁区を形成する上で重要なパラメータになる。
【特許文献１】特開平１０−３２０８２８号公報
【特許文献２】特開平１０−１６２４２７号公報
【特許文献３】特開２００６−１７２６４３号公報
【発明の開示】
【発明が解決しようとする課題】
【０００４】
しかしながら、現在、光磁気記録媒体における記録用レーザビームのビームスポット内での温度分布は、定性的な温度分布しか得ることができず、定量的な温度分布を得るのが困難であるという問題がある。
【０００５】
本発明の課題は、光磁気記録媒体における記録用レーザビームのビームスポット内での定量的な温度分布を作成する温度分布作成装置及び温度分布作成方法を提供することにある。
【課題を解決するための手段】
【０００６】
上記課題を解決するために、請求項１に記載の発明は、
光磁気記録媒体における記録用レーザビームのビームスポット内での温度分布を作成する温度分布作成装置において、
前記記録用レーザビーム照射中の光磁気記録媒体の表面におけるビームスポット内を偏光顕微鏡により観察して画像データを撮影する撮影手段と、
前記撮影手段により撮影された画像データから階調度データを算出する階調度データ算出手段と、
前記階調度データ算出手段により算出された階調度データに基づいて、前記ビームスポット内での前記光磁気記録媒体のキュリー点範囲を取得するキュリー点範囲取得手段と、
前記ビームスポットの形状と前記ビームスポットの大きさと前記記録用レーザビームの出力とを含む所定の条件に基づいて、ビームスポット中心からの距離とモデル温度との関係を所定の確率分布を用いてシミュレーションして、前記ビームスポット内でのモデル温度分布を取得するモデル温度分布取得手段と、
前記モデル温度分布取得手段により取得されたモデル温度分布における、前記キュリー点範囲取得手段により取得されたキュリー点範囲のビームスポット中心からの距離に対応するモデル温度を、前記光磁気記録媒体のキュリー点と定義する定義手段と、
前記定義手段によりキュリー点であると定義されたモデル温度を、予め測定された前記光磁気記録媒体のキュリー点の実温度で置換して、前記モデル温度分布取得手段により取得された前記ビームスポット内でのモデル温度分布から、実温度に対応した前記ビームスポット内での温度分布を取得する温度分布取得手段と、
前記温度分布取得手段により取得された、実温度に対応した前記ビームスポット内での温度分布を出力する温度分布出力手段と、
を備えることを特徴とする。
【０００７】
請求項２に記載の発明は、
光磁気記録媒体における記録用レーザビームのビームスポット内での温度分布を作成する温度分布作成方法において、
前記記録用レーザビーム照射中の光磁気記録媒体の表面におけるビームスポット内を偏光顕微鏡により観察して画像データを撮影する撮影ステップと、
前記撮影ステップにて撮影された画像データから階調度データを算出する階調度データ算出ステップと、
前記階調度データ算出ステップにて算出された階調度データに基づいて、前記ビームスポット内での前記光磁気記録媒体のキュリー点範囲を取得するキュリー点範囲取得ステップと、
前記ビームスポットの形状と前記ビームスポットの大きさと前記記録用レーザビームの出力とを含む所定の条件に基づいて、ビームスポット中心からの距離とモデル温度との関係を所定の確率分布を用いてシミュレーションして、前記ビームスポット内でのモデル温度分布を取得するモデル温度分布取得ステップと、
前記モデル温度分布取得ステップにて取得されたモデル温度分布における、前記キュリー点範囲取得ステップにて取得されたキュリー点範囲のビームスポット中心からの距離に対応するモデル温度を、前記光磁気記録媒体のキュリー点と定義する定義ステップと、
前記定義ステップにてキュリー点であると定義されたモデル温度を、予め測定された前記光磁気記録媒体のキュリー点の実温度で置換して、前記モデル温度分布取得ステップにて取得された前記ビームスポット内でのモデル温度分布から、実温度に対応した前記ビームスポット内での温度分布を取得する温度分布取得ステップと、
前記温度分布取得ステップにて取得された、実温度に対応した前記ビームスポット内での温度分布を出力する温度分布出力ステップと、
を備えることを特徴とする。
【発明の効果】
【０００８】
請求項１及び２に記載の発明によれば、記録用レーザビーム照射中の光磁気記録媒体の表面におけるビームスポット内を偏光顕微鏡により観察して画像データを撮影し、当該撮影された画像データから階調度データを算出する。そして、当該算出された階調度データから、「キュリー点に達して磁性を失った領域」と「それ以外の領域」とが判別できるため、当該算出された階調度データに基づいて、ビームスポット内での光磁気記録媒体のキュリー点範囲を取得することができる。さらに、ビームスポットの形状とビームスポットの大きさと記録用レーザビームの出力とを含む所定の条件に基づいて、ビームスポット中心からの距離とモデル温度との関係を所定の確率分布を用いてシミュレーションして、ビームスポット内でのモデル温度分布を取得し、当該取得されたモデル温度分布における、当該取得されたキュリー点範囲のビームスポット中心からの距離に対応するモデル温度を、光磁気記録媒体のキュリー点と定義する。そして、そのキュリー点であると定義されたモデル温度を、予め測定された光磁気記録媒体のキュリー点の実温度で置換して、当該取得されたビームスポット内でのモデル温度分布から、実温度に対応したビームスポット内での温度分布を取得し、当該取得された、実温度に対応したビームスポット内での温度分布を出力することができる。
したがって、光磁気記録媒体における記録用レーザビームのビームスポット内での定量的な温度分布を作成することができる。
【発明を実施するための最良の形態】
【０００９】
以下、図を参照して、本発明にかかる光磁気記録媒体における温度分布作成装置及び温度分布作成方法の最良の形態を詳細に説明する。なお、発明の範囲は、図示例に限定されない。
【００１０】
＜温度分布作成装置＞
まず、光磁気記録媒体Ｍにおける記録用レーザビームＢのビームスポットＰ内での温度分布Ｄ１を作成する温度分布作成装置１について、図１〜図７を参照して説明する。
【００１１】
光磁気記録媒体Ｍは、例えば、熱（記録用レーザビームＢ）と外部磁界とによって磁区ｍｄが記録される。
具体的には、光磁気記録媒体Ｍに記録用レーザビームＢを照射して、光磁気記録媒体Ｍの温度を光磁気記録媒体Ｍのキュリー点以上にすると、光磁気記録媒体Ｍは磁性を失う。このときに外部磁界を与えると、磁区ｍｄを記録することができる。
【００１２】
温度分布作成装置１は、例えば、図１に示すように、偏光顕微鏡３と、記録用レーザビーム照射部５と、偏光顕微鏡３と記録用レーザビーム照射部５とに接続された温度分布作成部７と、などを備えて構成される。
【００１３】
偏光顕微鏡３は、例えば、温度分布作成部７から入力される制御信号に従って、記録用レーザビームＢ照射中の光磁気記録媒体Ｍの表面におけるビームスポットＰ内を観察して、画像データを撮影し、そして、当該画像データを温度分布作成部７に出力する。
【００１４】
具体的には、偏光顕微鏡３は、例えば、図１に示すように、観察用レーザビームを発光する発光部３１と、発光部３１により発光された観察用レーザビームを偏光する偏光板（ポラライザー）３２と、偏光板３２により偏光された観察用レーザビームを光磁気記録媒体Ｍへと導くとともに、光磁気記録媒体Ｍにより反射された観察用レーザビームを偏光板３４へと導くハーフミラー３３と、ハーフミラー３３により導かれた観察用レーザビームを偏光する偏光板（アナライザー）３４と、偏光板３４により偏光された観察用レーザビームに基づく画像データを撮影して温度分布作成部７に出力するＣＣＤカメラ３５と、発光部３１により発光された観察用レーザビームがＣＣＤカメラ３５に到着するまでの光路上に配置された１又は複数の所定のレンズ（図示省略）と、などにより構成される。
【００１５】
記録用レーザビーム照射部５は、例えば、温度分布作成部７から入力される制御信号に従って、光磁気記録媒体Ｍに記録用レーザビームＢを照射する。
【００１６】
具体的には、記録用レーザビーム照射部５は、例えば、記録用レーザビームＢを発光する発光部５１と、発光部５１により発光された記録用レーザビームＢを光磁気記録媒体Ｍへと反射する反射板５２と、などにより構成される。
ここで、光磁気記録媒体Ｍにおける記録用レーザビームＢのビームスポットＰの直径は、例えば、「１μｍ」であるとする。
また、反射板５２は、例えば、偏光顕微鏡３の発光部３１により発光された観察用レーザビームは透過するようになっている。
【００１７】
なお、偏光顕微鏡３の発光部３１により発光される観察用レーザビームと、記録用レーザビーム照射部５の発光部５１により発光される記録用レーザビームＢとは、波長が異なるため、記録用レーザビームＢは、偏光顕微鏡３での観察に影響を及ぼさないようになっている。
【００１８】
温度分布作成部７は、例えば、図１に示すように、ＣＰＵ（Central Processing Unit）７１と、ＲＡＭ（Random Access Memory）７２と、ＲＯＭ（Read Only Memory）７３と、表示部７４と、プリント出力部７５と、などにより構成される。
【００１９】
ＣＰＵ７１は、例えば、ＲＯＭ７３に記録された温度分布作成部７用の各種処理プログラムに従って各種の制御動作を行う。
【００２０】
ＲＡＭ７２は、例えば、ＣＰＵ７１によって実行される処理プログラムなどを展開するためのプログラム格納領域や、入力データや上記処理プログラムが実行される際に生じる処理結果などを格納するデータ格納領域などを備える。
【００２１】
ＲＯＭ７３は、例えば、温度分布作成部７で実行可能なシステムプログラム、当該システムプログラムで実行可能な各種処理プログラム、これら各種処理プログラムを実行する際に使用されるデータ、ＣＰＵ７１によって演算処理された処理結果のデータなどを記憶する。なお、プログラムは、コンピュータが読み取り可能なプログラムコードの形でＲＯＭ７３に記憶されている。
【００２２】
具体的には、ＲＯＭ７３は、例えば、図１に示すように、偏光顕微鏡制御プログラム７３１と、記録用レーザビーム照射部制御プログラム７３２と、階調度データ算出プログラム７３３と、キュリー点範囲取得プログラム７３４と、モデル温度分布取得プログラム７３５と、定義プログラム７３６と、温度分布取得プログラム７３７と、温度分布出力制御プログラム７３８と、などを記憶している。
【００２３】
偏光顕微鏡制御プログラム７３１は、例えば、偏光顕微鏡３に制御信号を入力して、記録用レーザビームＢ照射中の光磁気記録媒体Ｍの表面におけるビームスポットＰ内を観察させて画像データを撮影させ、そして、当該画像データを温度分布作成部７に出力させる機能を、ＣＰＵ７１に実現させる。
【００２４】
具体的には、ＣＰＵ７１は、例えば、記録用レーザビーム照射部制御プログラム７３２を実行したＣＰＵ７１により制御された記録用レーザビーム照射部５の発光部５１による記録用レーザビームＢの発光に同期させて、ＣＣＤカメラ３５に画像データを撮影させる。すなわち、ＣＰＵ７１は、例えば、光磁気記録媒体Ｍに記録用レーザビームＢが照射された瞬間の画像データを、ＣＣＤカメラ３５に撮影させる。
【００２５】
ここで、光磁気記録媒体Ｍの表面に、偏光された観察用レーザビームを照射すると、磁区ｍｄの磁化の向きに応じて、観察用レーザビームの偏光面が回転する。
したがって、例えば、磁化が上向きの磁区ｍｄを偏光顕微鏡３により観察して画像データを撮影すると、例えば、図２の左側に示すような画像データが撮影され、例えば、磁化が下向きの磁区ｍｄを偏光顕微鏡３により観察して画像データを撮影すると、例えば、図２の右側に示すような、磁化が上向きの磁区ｍｄの画像データ（例えば、図２の左側の画像データ）よりも淡い色の画像データが撮影される。
【００２６】
また、光磁気記録媒体Ｍに記録用レーザビームＢを照射すると保磁力が減少するが、これは、記録用レーザビームＢ照射領域の温度の上昇に伴って、磁化の向きが一方向に揃わなくなるためである。
したがって、例えば、磁化の向きが一定方向（例えば、下向き）に揃っている光磁気記録媒体Ｍの表面を偏光顕微鏡３により観察して画像データを撮影すると、記録用レーザビームＢを照射しない場合は、例えば、図３（ａ）に示すような最も淡い色の画像データが撮影され、記録用レーザビームＢを照射して温度を上昇させた場合は、例えば、図３（ｂ）に示すような、記録用レーザビームＢを照射しない場合の画像データ（例えば、図３（ａ）の画像データ）よりも濃い色の画像データが撮影される。
すなわち、例えば、光磁気記録媒体Ｍの表面を偏光顕微鏡３により観察して画像データを撮影すると、温度がキュリー点よりも低い領域と比較して、温度が上昇してキュリー点以上になった領域の画像データの方が濃い色で撮影される。
【００２７】
記録用レーザビーム照射部制御プログラム７３２は、例えば、記録用レーザビーム照射部５に制御信号を入力して、光磁気記録媒体Ｍに記録用レーザビームＢを照射させる機能を、ＣＰＵ７１に実現させる。
【００２８】
なお、撮影手段は、例えば、ＣＣＤカメラ３５と、記録用レーザビーム照射部５と、偏光顕微鏡制御プログラム７３１を実行したＣＰＵ７１と、記録用レーザビーム照射部制御プログラム７３２を実行したＣＰＵ７１と、によって構成される。
【００２９】
階調度データ算出プログラム７３３は、例えば、偏光顕微鏡３のＣＣＤカメラ３５により撮影された画像データから階調度データを算出する機能を、ＣＰＵ７１に実現させる。
【００３０】
具体的には、ＣＰＵ７１は、例えば、偏光顕微鏡３により観察された画像データに含まれる各ピクセルにおける画像の濃淡に関する情報に基づいて、各ピクセルの階調度データを算出する。
ＣＰＵ７１は、かかる階調度データ算出プログラム７３３を実行することによって、階調度データ算出手段として機能する。
【００３１】
キュリー点範囲取得プログラム７３４は、例えば、階調度データ算出プログラム７３３を実行したＣＰＵ７１により算出された階調度データに基づいて、ビームスポットＰ内での光磁気記録媒体Ｍのキュリー点範囲Ｃを取得する機能を、ＣＰＵ７１に実現させる。
【００３２】
具体的には、ＣＰＵ７１は、階調度データに基づいて、ビームスポットＰ内でのキュリー点範囲Ｃを取得して、当該取得されたキュリー点範囲ＣのビームスポットＰ中心からの距離を取得する。
【００３３】
ここで、階調度データから「キュリー点範囲Ｃ（キュリー点に達して磁性を失った領域）」と「それ以外の領域」とが判別できる。
すなわち、光磁気記録媒体Ｍの表面を偏光顕微鏡３により観察して画像データを撮影すると、例えば、温度がキュリー点よりも低い領域と比較して、温度が上昇してキュリー点以上になった領域の画像データの方が濃い色で撮影されるため、画像データから算出された階調度データの値は、温度がキュリー点よりも低い領域と比較して、温度が上昇してキュリー点以上になった領域の方が小さくなる。そのため、ビームスポットＰ内の画像データにおける階調度が所定の閾値以下の範囲を、キュリー点範囲Ｃとすることができる。
【００３４】
具体的には、例えば、図３（ｂ）に示す画像データが撮影された場合、ＣＰＵ７１は、例えば、当該画像データから算出された階調度データに基づいて、例えば、図４に示すように、ビームスポットＰ内における階調度が所定の閾値以下の範囲をキュリー点範囲Ｃであると判別し、そのキュリー点範囲ＣのビームスポットＰ中心からの距離「ｒ」を取得するようになっている。
ＣＰＵ７１は、かかるキュリー点範囲取得プログラム７３４を実行することによって、キュリー点範囲取得手段として機能する。
【００３５】
モデル温度分布取得プログラム７３５は、例えば、所定の条件に基づいて、ビームスポットＰ中心からの距離とモデル温度との関係を所定の確率分布を用いてシミュレーションして、ビームスポットＰ内でのモデル温度分布Ｄ２を取得する機能を、ＣＰＵ７１に実現させる。
【００３６】
ここで、所定の条件は、例えば、ビームスポットＰの形状（例えば、円形）と、ビームスポットＰの大きさ（例えば、直径１μｍ）と、記録用レーザビームＢの出力（例えば、５０ｍＷ）と、室温（例えば、２５℃）と、などを含む。
また、所定の確率分布は、例えば、ガウシアン分布である。
また、モデル温度とは、例えば、モデル温度分布Ｄ２を得るための仮の温度である。
【００３７】
具体的には、ＣＰＵ７１は、例えば、図５に示すような、モデル温度分布Ｄ２を取得する。
ＣＰＵ７１は、かかるモデル温度分布取得プログラム７３５を実行することによって、モデル温度分布取得手段として機能する。
【００３８】
定義プログラム７３６は、例えば、モデル温度分布取得プログラム７３５を実行したＣＰＵ７１により取得されたモデル温度分布Ｄ２における、キュリー点範囲取得プログラム７３４を実行したＣＰＵ７１により取得されたキュリー点範囲ＣのビームスポットＰ中心からの距離に対応するモデル温度を、光磁気記録媒体Ｍのキュリー点と定義する機能を、ＣＰＵ７１に実現させる。
【００３９】
具体的には、ＣＰＵ７１は、例えば、図６に示すように、モデル温度分布Ｄ２（例えば、図５）における、取得されたキュリー点範囲ＣのビームスポットＰ中心からの距離（例えば、「ｒ」）に対応するモデル温度「ｔ１」を、光磁気記録媒体Ｍのキュリー点と定義する。
ＣＰＵ７１は、かかる定義プログラム７３６を実行することによって、定義手段として機能する。
【００４０】
温度分布取得プログラム７３７は、例えば、定義プログラム７３６を実行したＣＰＵ７１によりキュリー点であると定義されたモデル温度を、予め測定された光磁気記録媒体Ｍのキュリー点の実温度で置換して、モデル温度分布取得プログラム７３５を実行したＣＰＵ７１により取得されたビームスポットＰ内でのモデル温度分布Ｄ２から、実温度に対応したビームスポットＰ内での温度分布を取得する機能を、ＣＰＵ７１に実現させる。
【００４１】
ここで、光磁気記録媒体Ｍのキュリー点の実温度は、例えば、光磁気記録媒体Ｍの飽和磁化の温度変化を熱磁気分析で測定する等の一般的な測定方法によって求められて、温度分布作成部７の入力部（図示省略）により入力されるようになっている。
【００４２】
具体的には、例えば、図７に示すように、モデル温度分布Ｄ２（例えば、図６）においてキュリー点であると定義されたモデル温度（例えば、「ｔ１」）を、温度分布作成部７の入力部（図示省略）により入力された光磁気記録媒体Ｍのキュリー点の実温度（例えば、「３００℃」）で置換し、そして、例えば、光磁気記録媒体Ｍのキュリー点の実温度（例えば、「３００℃」）と室温（例えば、「２５℃」）とに基づいて、モデル温度分布Ｄ２に実温度の目盛りを割り当てることによって、モデル温度分布Ｄ２から、実温度に対応したビームスポットＰ内での温度分布Ｄ１を取得する。
ＣＰＵ７１は、かかる温度分布取得プログラム７３７を実行することによって、温度分布取得手段として機能する。
【００４３】
温度分布出力制御プログラム７３８は、例えば、表示部７４及び／又はプリント出力部７５に制御信号を入力して、温度分布取得プログラム７３７を実行したＣＰＵ７１により取得された、実温度に対応したビームスポットＰ内での温度分布Ｄ１を出力させる機能を、ＣＰＵ７１に実現させる。
【００４４】
表示部７４は、例えば、ＬＣＤ（Liquid Crystal Display）パネルなどから構成され、例えば、ＣＰＵ７１から入力される制御信号に従って、所与の表示処理を行う。
【００４５】
プリント出力部７５は、例えば、給紙部（図示省略）と排紙部（図示省略）などを備え、例えば、ＣＰＵ７１から入力される制御信号に従って、所与のプリント出力処理を行う。
【００４６】
なお、温度分布出力手段は、例えば、温度分布出力制御プログラム７３８を実行したＣＰＵ７１と、表示部７４及び／又はプリント出力部７５と、によって構成される。
【００４７】
＜温度分布作成方法＞
次に、温度分布作成装置１によって光磁気記録媒体Ｍにおける記録用レーザビームＢのビームスポットＰ内での温度分布Ｄ１を作成する温度分布作成方法について、図８に示すフローチャートを参照して説明する。
【００４８】
まず、温度分布作成部７のＣＰＵ７１は、偏光顕微鏡制御プログラム７３１を実行して、偏光顕微鏡３に制御信号を入力するとともに、記録用レーザビーム照射部制御プログラム７３２を実行して、記録用レーザビーム照射部５に制御信号を入力して、記録用レーザビームＢ照射中の光磁気記録媒体Ｍの表面におけるビームスポットＰ内を観察させて画像データを撮影させる（ステップＳ１（撮影ステップ））。
【００４９】
ステップＳ１（撮影ステップ）にて撮影された画像データが温度分布作成部７に入力されると、ＣＰＵ７１は、階調度データ算出プログラム７３３を実行して、当該撮影された画像データから階調度データを算出する（ステップＳ２（階調度データ算出ステップ））。
【００５０】
次いで、ＣＰＵ７１は、キュリー点範囲取得プログラム７３４を実行して、ステップＳ２（階調度データ算出ステップ）にて算出された階調度データに基づいて、ビームスポットＰ内での光磁気記録媒体Ｍのキュリー点範囲Ｃを取得する（ステップＳ３（キュリー点範囲取得ステップ））。
【００５１】
次いで、ＣＰＵ７１は、モデル温度分布取得プログラム７３５を実行して、所定の条件に基づいて、ビームスポットＰ中心からの距離とモデル温度との関係を所定の確率分布を用いてシミュレーションして、ビームスポットＰ内でのモデル温度分布Ｄ２を取得する（ステップＳ４（モデル温度分布取得ステップ））。
【００５２】
次いで、ＣＰＵ７１は、定義プログラム７３６を実行して、ステップＳ４（モデル温度分布取得ステップ）にて取得されたモデル温度分布Ｄ２における、ステップＳ３（キュリー点範囲取得ステップ）にて取得されたキュリー点範囲ＣのビームスポットＰ中心からの距離に対応するモデル温度を、光磁気記録媒体Ｍのキュリー点と定義する（ステップＳ５（定義ステップ））。
【００５３】
次いで、ＣＰＵ７１は、温度分布取得プログラム７３７を実行して、ステップＳ５（定義ステップ）にてキュリー点であると定義されたモデル温度を、予め測定された光磁気記録媒体Ｍのキュリー点の実温度で置換して、ステップＳ３（モデル温度分布取得ステップ）にて取得されたビームスポットＰ内でのモデル温度分布Ｄ２から、実温度に対応したビームスポットＰ内での温度分布Ｄ１を取得する（ステップＳ６（温度分布取得ステップ））。
【００５４】
次いで、ＣＰＵ７１は、温度分布出力制御プログラム７３８を実行して、表示部７４及び／又はプリント出力部７５に制御信号を入力して、ステップＳ６（温度分布取得ステップ）にて取得された、実温度に対応したビームスポットＰ内での温度分布Ｄ１を出力させ（ステップＳ７（温度分布出力ステップ））、本処理を終了する。
【００５５】
以上説明した本発明の光磁気記録媒体Ｍにおける温度分布作成装置１及び温度分布作成方法によれば、撮影ステップ（ステップＳ１）にて、偏光顕微鏡３と記録用レーザビーム照射部５と偏光顕微鏡制御プログラム７３１を実行したＣＰＵ７１と記録用レーザビーム照射部制御プログラム７３２を実行したＣＰＵ７１とによって、記録用レーザビームＢ照射中の光磁気記録媒体Ｍの表面におけるビームスポットＰ内を観察して画像データを撮影することができ、階調度データ算出ステップ（ステップＳ２）にて、階調度データ算出プログラム７３３を実行したＣＰＵ７１によって、当該撮影された画像データから階調度データを算出することができる。そして、当該算出された階調度データから、「キュリー点範囲Ｃ（キュリー点に達して磁性を失った領域）」と「それ以外の領域」とが判別できるため、キュリー点範囲取得ステップ（ステップＳ３）にて、キュリー点範囲取得プログラム７３４を実行したＣＰＵ７１によって、当該算出された階調度データに基づいて、ビームスポットＰ内での光磁気記録媒体Ｍのキュリー点範囲Ｃを取得することができる。さらに、モデル温度分布取得ステップ（ステップＳ４）にて、モデル温度取得プログラム７３５を実行したＣＰＵ７１によって、ビームスポットＰの形状とビームスポットＰの大きさと記録用レーザビームＢの出力と室温となどを含む所定の条件に基づいて、ビームスポットＰ中心からの距離とモデル温度との関係を所定の確率分布（例えば、ガウシアン分布）を用いてシミュレーションして、ビームスポットＰ内でのモデル温度分布Ｄ２を取得することができ、定義ステップ（ステップＳ５）にて、定義プログラム７３６を実行したＣＰＵ７１によって、当該取得されたモデル温度分布Ｄ２における、当該取得されたキュリー点範囲Ｃのビームスポット中心からの距離に対応するモデル温度を、光磁気記録媒体Ｍのキュリー点と定義することができる。そして、温度分布取得ステップ（ステップＳ６）にて、温度分布取得プログラム７３７を実行したＣＰＵ７１によって、そのキュリー点であると定義されたモデル温度を、予め測定された光磁気記録媒体Ｍのキュリー点の実温度で置換して、当該取得されたビームスポットＰ内でのモデル温度分布Ｄ２から、実温度に対応したビームスポットＰ内での温度分布Ｄ１を取得することができ、温度分布出力ステップ（ステップＳ７）にて、温度分布出力制御プログラム７３８を実行したＣＰＵ７１と表示部７４及び／又はプリント出力部７５とによって、当該取得された、実温度に対応したビームスポットＰ内での温度分布Ｄ１を出力することができる。
したがって、光磁気記録媒体Ｍにおける記録用レーザビームＢのビームスポットＰ内での定量的な温度分布Ｄ１を作成することができる。
【００５６】
なお、本発明は、上記した実施の形態のものに限るものではなく、その要旨を逸脱しない範囲で適宜変更可能である。
【００５７】
モデル温度分布Ｄ２（例えば、図５や図６）や、実温度に対応した温度分布Ｄ１（例えば、図７）を、二次元の分布で取得するようにしたが、三次元の分布で取得するようにしてもよい。
【００５８】
図２〜図７に示した画像データの図や分布図は、この限りではなく、その要旨を逸脱しない範囲で任意である。
【００５９】
ビームスポットＰの形状、ビームスポットＰの大きさ、記録用レーザビームＢの出力、室温、光磁気記録媒体Ｍのキュリー点の実温度などは、上記した限りではなく、任意である。
【図面の簡単な説明】
【００６０】
【図１】光磁気記録媒体における記録用レーザビームのビームスポット内での温度分布を作成するための温度分布作成装置の構成を示す図である。
【図２】光磁気記録媒体に記録された磁区の模式図と、磁化が上向きの磁区を撮影して得た画像データと、磁化が下向きの磁区を撮影して得た画像データと、を示す図である。
【図３】記録用レーザビームが照射されていない光磁気記録媒体を撮影して得た画像データを示す図（ａ）と、記録用レーザビーム照射中の光磁気記録媒体におけるビームスポット内を撮影して得た画像データを示す図（ｂ）である。
【図４】記録用レーザビーム照射中の光磁気記録媒体におけるビームスポット内を撮影して得た画像データを示す図（ａ）と、当該画像データから取得されたキュリー点範囲を示す図（ｂ）である。
【図５】シミュレーションして取得されたモデル温度分布を示す図である。
【図６】モデル温度分布における光磁気記録媒体のキュリー点の定義の仕方を説明するための図である。
【図７】実温度に対応した前記ビームスポット内での温度分布を示す図である。
【図８】温度分布作成装置によって光磁気記録媒体における記録用レーザビームのビームスポット内での温度分布を作成する温度分布作成方法について説明するためのフローチャートである。
【符号の説明】
【００６１】
１  温度分布作成装置
５  記録用レーザビーム照射部（撮影手段）
３５  ＣＣＤカメラ（撮影手段）
７１  ＣＰＵ（撮影手段、階調度データ算出手段、キュリー点範囲取得手段、モデル温度分布取得手段、定義手段、温度分布取得手段、温度分布出力手段）
７４  表示部（温度分布出力手段）
７５  プリント出力部（温度分布出力手段）
７３１  偏光顕微鏡制御プログラム（撮影手段）
７３２  記録用レーザビーム照射部制御プログラム（撮影手段）
７３３  階調度データ算出プログラム（階調度データ算出手段）
７３４  キュリー点範囲取得プログラム（キュリー点範囲取得手段）
７３５  モデル温度分布取得プログラム（モデル温度分布取得手段）
７３６  定義プログラム（定義手段）
７３７  温度分布取得プログラム（温度分布取得手段）
７３８  温度分布出力プログラム（温度分布出力手段）
Ｂ  記録用レーザビーム
Ｃ  キュリー点範囲
Ｄ１  温度分布
Ｄ２  モデル温度分布
Ｍ  光磁気記録媒体
Ｐ  ビームスポット
【図１】
2008181587.tif 000003
【図５】
2008181587.tif 000004
【図６】
2008181587.tif 000005
【図７】
2008181587.tif 000006
【図８】
2008181587.tif 000007
【図２】
2008181587.tif 000008
【図３】
2008181587.tif 000009
【図４】
2008181587.tif 000010